(57)【要約】  フーリエ変換イオンサイクロトロン共鳴質量分析法（ＦＴＩＣＲ−ＭＳ）についての今までにない方法及び装置である。ＦＴＩＣＲ−ＭＳ装置は、複数の質量対電荷（Ｍ／Ｚ）の部分的な範囲を有するイオン化分子を受け取ることができるＩＣＲ前の質量分離及びフィルタリング装置を有する。ＩＣＲ前の質量分離及びフィルタリング装置は、イオン化分子を複数のより小さなパケットに分割し、より小さなパケットそれぞれが、Ｍ／Ｚの部分的な範囲のうちの１つの範囲内にある。ＦＴＩＣＲ−ＭＳ装置中の磁石は、制御された磁場を与える。複数のイオンサイクロトロン共鳴（ＩＣＲ）セルは、制御された磁場中で直列に配置され、独立して動作する。イオントラッピング装置は、複数のＩＣＲセルのうちの１つのＩＣＲセルへ送る前に、ＩＣＲ前の質量分離及びフィルタリング装置を接続し、複数のより小さなパケットのうちの１つのパケットを格納する。
2009508307.tif 000002
【特許請求の範囲】
【請求項１】
質量対電荷比（以下、Ｍ／Ｚという）の範囲を有するイオン化分子を受け取ることができるＩＣＲ前の質量分離及びフィルタリング装置であって、前記Ｍ／Ｚの範囲が複数のＭ／Ｚの部分的な範囲を含み、ＩＣＲ前の質量分離及びフィルタリング装置が、前記Ｍ／Ｚの範囲を有する前記イオン化分子を複数のより小さなパケットに分割し、前記複数のより小さなパケットそれぞれが前記複数のＭ／Ｚの部分的な範囲の要素を有する、ＩＣＲ前の質量分離及びフィルタリング装置と、
制御された磁場を与える磁石と、
前記磁石の制御された磁場中で直列に配置される、独立して動作することができる複数のイオンサイクロトロン共鳴（以下、ＩＣＲという）セルと、
前記複数のより小さな質量パケットのうちの１つのパケットを前記複数のＩＣＲセルのうちの１つのＩＣＲセルへ送る前に、前記複数のより小さなパケットのうちの前記１つのパケットを格納するための、前記ＩＣＲ前の質量分離及びフィルタリング装置に動作可能なように接続するイオントラッピング装置と
を備える、フーリエ変換イオンサイクロトロン共鳴質量分析法システム。
【請求項２】
イオン化源をさらに備える、請求項１に記載のシステム。
【請求項３】
イオン化源からイオン化分子を受け取り、前記イオン化分子をＩＣＲ前の質量分離及びフィルタリング装置へ引き渡すイオンガイドをさらに備える、請求項２に記載のシステム。
【請求項４】
複数のより小さなパケットのうちの１つのパケットをイオントラッピング装置から複数のＩＣＲセルのうちの１つのＩＣＲセルまで移送する第２のイオンガイドをさらに備える、請求項３に記載のシステム。
【請求項５】
外部イオン化源をさらに含んでおり、前記外部イオン化源が、化学イオン化（ＣＩ）源、プラズマ及びグロー放電源、電子衝撃（ＥＩ）源、エレクトロスプレーイオン化（ＥＳＩ）源、高速原子衝撃（ＦＡＢ）源、レーザイオン化（ＬＩＭＳ）源、マトリックス支援レーザ脱離イオン化（ＭＡＬＤＩ）源、プラズマ脱離イオン化（ＰＤ）源、大気圧光イオン化源、共鳴イオン化（ＲＩＭＳ）源、二次イオン（ＳＩＭＳ）源、スパーク源、及び熱イオン化（ＴＩＭＳ）源からなる群から選択される、請求項１に記載のシステム。
【請求項６】
磁石が超伝導磁石である、請求項１に記載のシステム。
【請求項７】
ＩＣＲセルが、開放型円筒形タイプ、開放型立方体タイプ、ブルカー製インフィニティセル、ペニングトラップ、及びそれらの組合せからなる群から選択される、請求項１に記載のシステム。
【請求項８】
ＩＣＲ前の質量分離及びフィルタリング装置が、線形四重極、３−Ｄ四重極イオントラップ、２Ｄ四重極イオントラップからなる群から選択される、請求項１に記載のシステム。
【請求項９】
イオントラッピング装置が、線形四重極、３−Ｄ四重極イオントラップ、２Ｄ四重極イオントラップからなる群から選択される、請求項１に記載のシステム。
【請求項１０】
ＩＣＲ前の質量分離及びフィルタリング装置が、飛行時間の原理に基づいている、請求項１に記載のシステム。
【請求項１１】
第１のイオンガイドが、四重極イオンガイド、六重極イオンガイド、八重極イオンガイドからなる群から選択される、請求項１に記載のシステム。
【請求項１２】
加熱キャピラリをイオン源と第１のイオンガイドとの間にさらに備える、請求項１に記載のシステム。
【請求項１３】
第２のイオンガイドが、四重極イオンガイド、六重極イオンガイド、八重極イオンガイド及び静電レンズシステムからなる群から選択される、請求項１に記載のシステム。
【請求項１４】
ａ）複数の分子を有する試料を質量分析計のイオン化源の中に導入するステップと、
ｂ）前記複数の分子をイオン化するステップであって、その結果、ある質量対電荷比（以下、Ｍ／Ｚという）の範囲を有する複数のイオンとなり、前記Ｍ／Ｚの範囲が複数のＭ／Ｚの部分的な範囲を含む、イオン化するステップと、
ｃ）前記複数のイオンからの第１のＭ／Ｚの部分的な範囲を有する第１のイオンのパケットをＩＣＲ前の質量分離及びフィルタリング装置を通って通過させるステップと、
ｄ）前記第１のイオンのパケットを収集するステップと、
ｅ）前記第１のＭ／Ｚの部分的な範囲に応じた第１の飛行時間の遅延を用いて前記第１のイオンのパケットを第１のＩＣＲセルへ移送するステップと、
ｆ）ステップ（ｅ）の前記第１のイオンのパケットを前記移送するステップと同時に、前記複数のイオンから第２のＭ／Ｚの部分的な範囲を有する第２のイオンのパケットを前記ＩＣＲ前の質量分離及びフィルタリング装置を通って通過させるステップと、
ｇ）前記第１のＩＣＲセルを用いて前記第１のイオンのパケット内に含まれるイオンを分解及び検出するステップと、
ｈ）前記第２のイオンのパケットを収集するステップと、
ｉ）前記第２のＭ／Ｚの部分的な範囲に応じた第２の飛行時間の遅延を用いて、前記第２のイオンのパケットを第２のＩＣＲセルへ移送するステップと、
ｊ）前記第２のＩＣＲセルを用いて第２のイオンのパケット内に含まれるイオンを分解及び検出するステップと
を含む、フーリエ変換イオンサイクロトロン共鳴質量分析法の方法。
【請求項１５】
ｋ）ステップ（ｉ）の第２のイオンのパケットを移送するステップと同時に、複数のイオンから第３のＭ／Ｚの部分的な範囲を有する第３のイオンのパケットをＩＣＲ前の質量分離及びフィルタリング装置を通って通過させるステップと、
ｌ）前記第３のイオンのパケットを収集するステップと、
ｍ）前記第３のＭ／Ｚの部分的な範囲に応じた第３の飛行時間の遅延を用いて前記第３のイオンのパケットを第３のＩＣＲセルへ移送するステップと、
ｎ）前記第３のＩＣＲセルを用いて前記第３のイオンのパケット内に含まれるイオンを分解及び検出するステップと
をさらに含む、請求項１４に記載の方法。
【請求項１６】
ＩＣＲセルが、直列に接続されると共に制御された磁場中にある、請求項１４に記載の方法。
【請求項１７】
第１のＩＣＲセルは、第２のＩＣＲセルよりもイオン化源から遠くに配置されており、第１のＭ／Ｚの部分的な範囲は、第２のＭ／Ｚの部分的な範囲より大きい、請求項１４に記載の方法。
【請求項１８】
イオン化源が、化学イオン化（ＣＩ）源、プラズマ及びグロー放電源、電子衝撃（ＥＩ）源、エレクトロスプレーイオン化（ＥＳＩ）源、高速原子衝撃（ＦＡＢ）源、レーザイオン化（ＬＩＭＳ）源、マトリックス支援レーザ脱離イオン化（ＭＡＬＤＩ）源、プラズマ脱離イオン化（ＰＤ）源、大気圧光イオン化源、共鳴イオン化（ＲＩＭＳ）源、二次イオン（ＳＩＭＳ）源、スパーク源、及び熱イオン化（ＴＩＭＳ）源からなる群から選択される、請求項１４に記載の方法。
【請求項１９】
ＩＣＲセルが、開放型円筒形タイプ、開放型立方体タイプ、ブルカー製インフィニティセル、ペニングトラップ及びそれらの組合せからなる群から選択される、請求項１４に記載の方法。
【請求項２０】
ａ）複数の分子を有する試料を質量分析計のイオン化源の中に導入するステップと、
ｂ）前記複数の分子をイオン化するステップであって、その結果、ある質量対電荷比（以下、Ｍ／Ｚという）の範囲を有する複数のイオンとなり、前記Ｍ／Ｚの範囲が複数のＭ／Ｚの部分的な範囲を含む、イオン化するステップと、
ｃ）前記複数のイオンからの第１のＭ／Ｚの部分的な範囲を有する第１のイオンのパケットをＩＣＲ前の質量分離及びフィルタリング装置を通って通過させるステップと、
ｄ）第１のイオンのパケットを収集するステップと、
ｅ）前記第１のイオンのパケットを第１のＩＣＲセルまで移送するステップと、
ｆ）ステップ（ｅ）の前記第１のイオンのパケットを前記移送するステップと同時に、前記ＩＣＲ前の質量分離及びフィルタリングを使用して前記複数のイオンからのＭ／Ｚの部分的な範囲に関してＭＳ／ＭＳの動作を実行するステップと、
ｇ）前記第１のＩＣＲセルを用いて前記第１のイオンのパケット内に含まれるイオンを分解及び検出するステップと、
ｈ）ステップ（ｆ）の前記ＭＳ／ＭＳの動作から生じる第２のイオンのパケットを収集するステップと、
ｉ）前記第２のイオンのパケットを第２のＩＣＲセルへ移送するステップと、
ｊ）前記第２のＩＣＲセルを用いて前記第２のイオンのパケット内に含まれるイオンを分解及び検出するステップと
を含む、フーリエ変換イオンサイクロトロン共鳴質量分析法の方法。
【発明の詳細な説明】
【技術分野】
【０００１】
本発明は、質量分析法に関する。さらに詳細には、本発明は、フーリエ変換イオンサイクロトロン共鳴質量分析法に関する。
【背景技術】
【０００２】
試料中の物質組成の分析を行うための能力は、健康管理、環境モニタリングなど日常生活の多くの場面に不可欠である。典型的には、複合混合物中の特定の物質の量は、様々な手段によって測定される。例えば、複合混合物中の検体を測定するために、関心のある検体は、混合物中の他の分子全てから分離され、次いで独立して測定及び同定されなければならない。
【０００３】
検体それぞれの特有の化学的特性及び／又は物理的特性を使用して検体を互いから分解することができる。クロマトグラフィの用途では、例えば、異なる検体の極性の相違を利用して検体を互いから分離でき、保持時間は、特定の検体に対して特有である場合がある。質量分析法では、イオン化分子（検体）のＭ／Ｚの相違が利用される。異なる分子式を有する分子は、概して異なる質量を有する。質量の相違は、とても大きなもの（１００又は１０００を超える原子質量単位（ａｍｕ，atomic mass unit））からとても小さなもの（１ａｍｕ未満）まで様々である。質量差がより小さくなるほどイオンを分離するためにより高い質量分解能が必要とされる。高分解能質量分析法は一般に、１ａｍｕ未満の差で質量の異なるイオンを分解する能力について言及するのに対して、低分解能質量分析法は一般に、１ａｍｕを超える差で質量の異なるイオンを分解する能力について言及する。課題は、妥当な時間で非常に幅広い質量対電荷（Ｍ／Ｚ，mass to charge）の範囲にわたって高分解能質量分析を行うことができることである。現在、フーリエ変換イオンサイクロトロン質量分析法（ＦＴＭＳ，Fourier Transform Ion Cyclotron Mass Spectrometry）は、ことによるとあらゆる種類の質量分析計のうち最高の分解能を与えるものであり、それによりフーリエ変換イオンサイクロトロン質量分析法（ＦＴＭＳ）を他の全てのシステムの中で非標的の複合試料の分析に最も適したものにさせる。
【０００４】
フーリエ変換イオンサイクロトロン質量分析法の化学的用途は、例えば、the Accounts of Chemical Research, Vol. 20, page 316, Oct. 1985の中に記載されており、全体としてこの文献を参照することにより本明細書にそのまま援用する。フーリエ変換質量分析法は、時間の関数としてデータ点の取得のステップと、続いて周波数領域スペクトルを得るための離散フーリエ変換のステップとを含む。
【０００５】
イオンサイクロトロン共鳴を利用し、特定のイオンサイクロトロン共鳴周波数を有するイオンの個数を測定する装置は一般に、イオンサイクロトロン共鳴質量分析計と呼ばれている。
【０００６】
イオンサイクロトロン共鳴は、よく知られており、気体イオンを検出するための精度の高い及び用途の広い手段を与える。静磁場の存在下で運動中である気体イオンは、磁場の方向に垂直な平面において円軌道で運動するように制限され、磁場に対して平行な方向への気体イオンの運動には制限がない。この円運動の周波数は、磁場の強さ及びそのイオンのＭ／Ｚに直接依存する。イオンが、磁場に対して直角に流動する振動電場の周波数に等しいサイクロトロン軌道周波数を有するときに、イオンは、電場からエネルギーを吸収し、より大きな軌道半径及びより高い運動エネルギーレベルへ加速される。共鳴イオンだけが電場からエネルギーを吸収するので、共鳴イオンは、電場が実質的に影響を与えない非共鳴イオンと区別できる。吸収されたパワーの検出は結果として試料中に存在する特定のＭ／Ｚの共鳴気体イオンの個数を測定することになる。特定のイオン化した気体試料のイオンＭ／Ｚスペクトルは、スキャン及び検出することによって得られる。スキャンは、異なるＭ／Ｚのイオンを振動電場と共鳴状態にするように、振動電場の周波数、印加磁場の強さ、又はその両方を変更することによってなされてよい。
【０００７】
ＦＴＭＳ機器は、イオントラッピング機器である。外部で発生した全てのイオンは、イオンサイクロトロン共鳴（ＩＣＲ，Ion Cyclotron Resonance）セルの中に移送されなければならない。ＩＣＲセル中に入れば、次いで標準のＦＴＭＳの手順を利用してセル中に含まれるイオンを分解及び検出する。イオン源の中でイオン化されるときに、ヒト血漿などの複合混合物は、５０以下の非常に小さなＭ／Ｚから１５００以上の大きなＭ／Ｚまでのイオンのスペクトルを含む。
【０００８】
異なるＭ／Ｚのイオンは、異なる運動エネルギー、及びしたがって異なる速度を有する。ポテンシャルエネルギーの勾配の存在下では、小さなＭ／Ｚのイオンは、高いＭ／Ｚのイオンよりも大きな速度を有し、したがってイオンがイオン通路に沿って進むのにかかる時間は、そのイオンの質量に反比例する。飛行時間（ＴＯＦ，Time of Flight）又はセクター機器は、このＭ／Ｚ特性を利用するように設計される。しかし、このＭ／Ｚ従属性は、単一のＦＴＩＣＲ−ＭＳによって同時に分析され得る検体のＭ／Ｚの範囲（デューティサイクル）を大いに制限するものであり、ここでイオン源からのイオンは、イオンが検出プレートの近くを通過することによって分解及び検出される前にＩＣＲセルへ移送され、次いでＩＣＲセル中でトラップされなければならない。ＦＴＩＣＲ−ＭＳでは、質量は、他の技術のように空間又は時間で分解されず、周波数でのみ分解され、異なるイオンは、セクター機器のように異なる場所で、又は飛行時間の機器のように異なる時間で検出されず、全てのイオンは所与の期間にわたって同時に検出される。
【０００９】
図１（ａ）を参照すると、イオンは典型的には、高周波（ＲＦ，radio frequency）だけのトラップ１００などの電圧ゲートポテンシャルエネルギートラップを用いてＩＣＲセルの外側にトラップされるものであり、ＲＦだけのトラップ１００は、ＲＦだけの四重極１０２、入口ゲート電極１０４及び終端ゲート電極１０６より構成される。入口ゲート電極１０４に入るイオン１０８は、外部イオン源１１０によって供給することができる。典型的な外部イオン源には、エレクトロスプレーイオン化（ＥＳＩ，Electrospray Ionization）、大気圧化学イオン化（ＡＰＣＩ，Atmospheric Pressure Chemical Ionization）、マトリックス支援レーザ脱離イオン化（ＭＡＬＤＩ，Matrix Assisted Laser Desorption Ionization）、及び大気圧光イオン化（ＡＰＰＩ，Atmospheric Pressure Photo Ionization）などが含まれてよいが、それに限定されない。
【００１０】
図１（ａ）及び図１（ｂ）を参照すると、イオン１０８が入口ゲート電圧１１４及び終端ゲート電圧１１６によってトラップされている一定のイオン蓄積時間の期間の経過後、終端ゲート１０６は開かれ、ポテンシャルエネルギーの井戸の中にトラップされたイオン１０８は、ポテンシャルエネルギー勾配１１８によってＩＣＲセル１１２に向けて推進される。
【００１１】
図２（ａ）を参照すると、イオン２０６、２０８は、高電圧をセル２０２の入口プレート２１０及び終端プレート２０４に印加することにより、高電圧をこのセルの入口プレート２１０に印加する一定期間の経過後に、ＩＣＲセル２０２の中でトラップされる。ＲＦだけのトラップ１００が開かれた時間とＩＣＲセルが閉じられた時間の間にセルに入った全てのイオン２０６、２０８は、ＩＣＲセル中でトラップされ、次いで分析され得る。しかし、この過程は、いわゆる「飛行時間の影響」をもたらし得る。図２（ｃ）を参照すると、ＩＣＲセル２０２が開いた状態で維持される時間が長過ぎる場合は、高速の小さなイオン２０６は、ＩＣＲセル２０２に入り、終端プレートから跳ね返され、入口プレートから逆に逃げてしまうことになろう。図２（ｂ）を参照すると、この時間が短過ぎる場合は、低速の大きなイオン２０８は、ＩＣＲセル２０２まで到達しないであろう。一定のＭ／Ｚの範囲だけが一度にＦＴＭＳのＩＣＲセル中にトラップでき、幅広いＭ／Ｚの範囲にわたる非標的の複合試料を分析する上で現在のＦＴＭＳ技術の機能を厳しく制限するのはこの理由による。非標的の複合試料の分析は、例えば、２００１年８月９日に発行されたＰＣＴの公報ＷＯ０１／５７５１８の中で説明されており、この文献を参照することにより本明細書にそのまま援用する
【００１２】
ＦＴＭＳ機器は、全てイオントラッピング機器であるので、分解及び検出の前にＩＣＲセル中に格納できるイオンの個数には限界がある。ＩＣＲセル中にイオンが多過ぎると、機器の分解能に悪影響を及ぼし、ＩＣＲセル中にイオンが少な過ぎると、ＩＣＲセル中のイオンを検出する精度に悪影響を及ぼす。したがって、ＦＴＭＳ分析に対して最適な、しかし限定されたイオンの集団の範囲がある。ＩＣＲセル中で最適なイオンの集団を持続することは通常、イオンがＩＣＲセル中で又はいくつかのＩＣＲ前のイオン収集装置（例えば、イオンガイド又はイオントラップ）の中で収集される時間を調節することによってなされ、或いは複数のイオンパケットがＩＣＲセル中で収集されている場合は、これらの収集の個数は、イオンを分解及び検出する前に調節される。大きなＭ／Ｚの範囲、例えば５０〜２０００での総合的な非標的の複合混合物の分析については、この制限されたイオンの集団の範囲は、非標的の複合混合物の分析において現在利用可能なＦＴＭＳ機器の機能を厳しく制限する。
【００１３】
複合混合物は通常、様々なイオンの集団の状態で大量のイオンを含む。これにより限定されたダイナミックレンジになり、大きなＭ／Ｚの範囲が同時に分析される際に非常に数が多いイオンが選択的に検出される。ダイナミックレンジは、トラップできるイオンの個数を増大させることにより又は分析されているＭ／Ｚの範囲を減少させることにより増大できる。両方の選択肢は、トレードオフの状態にある。イオンの集団を増大させることは、機器の分解能及び精度、つまりは、分子式を正確に識別する機器の能力を減少させる。分析されるＭ／Ｚの範囲を限定することは、全体の幅広いＭ／Ｚの範囲を調べるために必要とされる分析数を増大させる。
【００１４】
典型的には、イオンの分解及び検出を最適化することは、各々の複合試料を小さなＭ／Ｚを有するものから高いＭ／Ｚを有するものまで及ぶ２つ以上の検体のパケットに分けることを必要とし、これらのパケットは、個々に分析装置の中に送られなければならない。パケットの連続した分析のこのステップは、複合試料の全面的なスペクトルを調べるために必要とされる時間を大いに増大する。結局のところ、この状況は、既存のＦＴＭＳ技術の高スループット能力及びデューティサイクルを大いに減少させる。
【００１５】
ＦＴＭＳ機器の分解能は、取得とされるデータ点の個数及び信号が減衰できる時間の長さの関数である。非標的の複合混合物の分析では、その目的は、成分全てを互いから分解することであり、次いでイオンの分子式を決定するのに十分なほど正確に質量を測定することである。しかし、この目的を達成するために必要とされる分解能及び質量の精度は、全てのＭ／Ｚの範囲に対して同じではない。８００と８０１の間の質量となる可能性のある分子式よりも１００と１０１の間の質量となる可能性のある分子式ははるかに少ないので、より低い質量のイオンは、より高い質量のイオンよりも分離及び識別するために分解能及び質量の精度を必要としない。Ｍ／Ｚの範囲を分割しないと、結果として低いＭ／Ｚの範囲でオーバー分解ピークになり、又は高いＭ／Ｚの範囲でアンダー分解ピークになる。
【００１６】
そのようなパワー吸収検出技術を利用するイオンサイクロトロン共鳴質量分析計の一例は、「Ion Cyclotron Resonance Mass Spectrometer Means for Detecting the Energy Absorbed by Resonance Ions」と題される米国特許第３３９０２６５号の中で見出されることができ、この文献を参照することにより本明細書にそのまま援用する。
【００１７】
イオンサイクロトロン共鳴質量分析計の方法及び装置並びに改良を開示する他の米国特許には、「Ion Cyclotron Resonance Spectrometer Employing Means for Recording Ionization Potentials」と題される米国特許第３４４６９５７号、「Ion Cyclotron Double Resonance Spectrometer Employing a Series Connection of the Irradiating and Observing RF Sources to the Cell」と題される米国特許第３４７５６０５号、「Method and Apparatus for Measuring Ion Interrelationships by Double Resonance Mass Spectroscopy」と題される米国特許第３５０２８６７号、「Ion Cyclotron Resonance Spectrometer Employing an Optically Transparent Ion Collecting Electrode」と題される米国特許第３５０５５１６号、「Ion Cyclotron Resonance Mass Spectrometer with Means for Irradiating the Sample with Optical Radiation」と題される米国特許第３５０５５１７号、「Ion Cyclotron Double Resonance Spectrometer Employing Resonance in the Ion Source and Analyzer」と題される米国特許第３５１１９８６号、「Double Resonance Ion Cyclotron Mass Spectrometer for Studying Ion-Molecule Reactions」と題される米国特許第３５３５５１２号、及び「Ion Cyclotron Resonance Stimulated Low-Discharge Method and Apparatus for Spectral Analysis」と題される米国特許第３６７７６４２号が含まれており、全てを参照することにより本明細書にそのまま援用する。
【００１８】
「Method and Apparatus for Pulsed Ion Cyclotron Resonance Spectroscopy」と題される米国特許第３７４２２１２号は、それを参照することにより本明細書にそのまま援用されるものであり、単一セクションのイオンサイクロトロン共鳴セルを含むイオンサイクロトロン共鳴質量分析計を説明する。このセルでは、イオンは、既知の第１の期間内に形成され、第２の期間内に中性分子と反応することができ、第３の期間内に検出される。特定の質量対電荷比のイオンを検出することは、それらイオンの共鳴周波数をマージナル発振検出器の固定周波数に等しくするように所望の質量対電荷比のイオンの共鳴周波数を急に変化させることによってなされる。既定の質量対電荷比のイオンのサイクロトロン周波数の必要とされる急激な変化は、イオンサイクロトロン共鳴セル中でイオンを「トラップする」ために使用される印加磁場の値の急激な変化によって、又は静電場の大きさの急激な変化によってなされる。イオンサイクロトロン共鳴検出期間を開始する代替の手段は、マージナル発振器の高周波レベルの振幅をゼロボルトからより高いレベルまで急激に変化させることである。イオンサイクロトロン共鳴検出期間を完了した後に、「クエンチ（quench）」電場パルスが、全てのイオンをイオンサイクロトロン共鳴セルから除去するために印加される。
【００１９】
四重極、六重極及び八重極などのＲＦだけの多重極ロッドのセットより構成されるイオンガイドは、当技術分野でやはり知られている。同じ大きさの電極の複数のリングより構成される代替のタイプのイオンガイド又は「ファネル」は、Batemanの米国特許第６８９１１５３号に記載されており、この文献を参照することにより本明細書にそのまま援用する。
【００２０】
イオン閉じ込め装置として使用するための円筒形イオントラップ（ＣＩＴ，cylindrical ion trap）は、米国特許第３０６５６４０号の中でLangmuirによって説明されたものであり、この文献を参照することにより本明細書にそのまま援用する。その後、ＣＩＴの使用は、主にイオン貯蔵に重点を置いている。
【００２１】
最近の実験（Badman, E. R.; Johnson, R. C.; Plass, W. R.; Cooks, R. G. Anal. Chem. 1998, 70, 4896-4901; Kornienko, O.; Reilly, P. T. A.; Whitten, W. B.; Ramsey, J. M. Rapid Commun. Mass Spectrom. 1999, 13, 50-53 and Kornienko, O.; Reilly, P. T. A.; Whitten, W. B.; Ramsey, J. M. Rev. Sci. Instrum. 1999, 70, 3907-3909、全てを参照することにより本明細書にそのまま援用する）は、質量分析計／検出器として申し分なく機能するＣＩＴを示している。
【００２２】
直列のイオントラップは、Bateman その他の米国特許第６７９４６４２号に記載されており、この文献を参照することにより本明細書にそのまま援用されるものであり、コレクタとして、並びに質量分析計のイオン体積及びダイナミックレンジを増大させる目的で検出されるＭ／Ｚの範囲を分割することとして記載されている。
【００２３】
Batemanの特許文献では、一連のイオントラップは、前に生成されたイオンのパケットの検出器としてではなく、Ｍ／Ｚの範囲をパケットに分離するために使用される。一連のイオントラップは、１つのトラップにトラップされていないイオンは、四重極イオントラップに固有の低質量カットオフ（ＬＭＣＯ，Low Mass Cut Off）として知られるＭ／Ｚの範囲の限界を乗り越え、他のトラップの中に溢れ出るように機能的に連結される。一連のイオントラップは、制御された磁場の中には実装しない。Batemanの設計では、単一の飛行時間（ＴＯＦ）検出システムを使用して一連のイオントラップによって分離されるイオンを検出する。したがって、Ｍ／Ｚの範囲は、各パケットに分割されるが、これらのパケットそれぞれは、同時に分析されるよりむしろ連続して検出されなければならない。加えて、使用される一連のイオントラップは、ＦＴＭＳ分析における飛行時間の影響の問題を最小化するように設計されていない。
【００２４】
【特許文献１】ＰＣＴの公報ＷＯ０１／５７５１８
【特許文献２】米国特許第３３９０２６５号
【特許文献３】米国特許第３４４６９５７号
【特許文献４】米国特許第３４７５６０５号
【特許文献５】米国特許第３５０２８６７号
【特許文献６】米国特許第３５０５５１６号
【特許文献７】米国特許第３５０５５１７号
【特許文献８】米国特許第３５１１９８６号
【特許文献９】米国特許第３５３５５１２号
【特許文献１０】米国特許第３６７７６４２号
【特許文献１１】米国特許第３７４２２１２号
【特許文献１２】米国特許第６８９１１５３号
【特許文献１３】米国特許第３０６５６４０号
【特許文献１４】米国特許第６７９４６４２号
【非特許文献１】the Accounts of Chemical Research, Vol. 20, page 316, Oct. 1985
【非特許文献２】Badman, E. R.; Johnson, R. C.; Plass, W. R.; Cooks, R. G. Anal. Chem. 1998, 70, 4896-4901
【非特許文献３】Kornienko, O.; Reilly, P. T. A.; Whitten, W. B.; Ramsey, J. M. Rapid Commun. Mass Spectrom. 1999, 13, 50-53
【非特許文献４】Kornienko, O.; Reilly, P. T. A.; Whitten, W. B.; Ramsey, J. M. Rev. Sci. Instrum. 1999, 70, 3907-3909
【発明の開示】
【発明が解決しようとする課題】
【００２５】
したがって、複数のＭ／Ｚの範囲のセグメントが連続的にではなく同時に検出及び分析されることを可能にするために、イオントラップセルを独立して直列に構成し、それによって幅広いＭ／Ｚの範囲の適用のためにＦＴ−ＩＣＲのデューティサイクルを増大させることによって、単一の分析サイクルにおけるイオンの幅広いＭ／Ｚの範囲の分析に必要な時間の長さを短縮する必要がある。
【課題を解決するための手段】
【００２６】
本発明の一実施形態によれば、質量対電荷比（Ｍ／Ｚ）の範囲を有するイオン化分子を受け取ることができるＩＣＲ前の質量分離及びフィルタリング装置を備えるフーリエ変換イオンサイクロトロン共鳴質量分析法（ＦＴＩＣＲ−ＭＳ）システムが提供される。Ｍ／Ｚの範囲は、複数のＭ／Ｚの部分的な範囲に分割できる。ＩＣＲ前の質量分離及びフィルタリング装置は、前記Ｍ／Ｚの範囲内のイオン化分子を複数のより小さなパケットに分割し、複数のより小さなパケットそれぞれが、Ｍ／Ｚの部分的な範囲を有する。ＦＴＩＣＲ−ＭＳシステム内の磁石は、制御された磁場を与える。複数のイオンサイクロトロン共鳴（ＩＣＲ）セルは、磁石の制御された磁場中で直列に配置される。複数のＩＣＲセルは、独立した質量分解及び検出装置として動作する。イオントラッピング装置は、より小さな質量パケットのうちの１つのパケットをＩＣＲセルのうちの１つのＩＣＲセルへ送る前に、より小さなパケットのうちの１つのパケットを格納するために、ＩＣＲ前の質量分離及びフィルタリング装置に動作可能なように接続する。
【００２７】
本発明の別の態様によれば、複数の分子を有する試料を質量分析計のイオン化源の中に導入するステップと、複数の分子をイオン化するステップであって、その結果、ある質量対電荷比（Ｍ／Ｚ）の範囲を有する複数のイオンとなり、Ｍ／Ｚの範囲が複数のＭ／Ｚの部分的な範囲を含む、イオン化するステップと、複数のイオンから第１のＭ／Ｚの部分的な範囲を有する第１のイオンのパケットをＩＣＲ前の質量分離及びフィルタリング装置を通って通過させるステップと、第１のイオンのパケットを収集するステップと、第１のＭ／Ｚの部分的な範囲に応じた第１の飛行時間の遅延を用いて、第１のイオンのパケットを第１のＩＣＲセルへ移送するステップと、第１のイオンのパケットを移送するステップと同時に、複数のイオンから第２のＭ／Ｚの部分的な範囲を有する第２のイオンのパケットを前記ＩＣＲ前の質量分離及びフィルタリング装置を通って通過させるステップと、第１のＩＣＲセルを用いて第１のイオンのパケット内に含まれるイオンを分解及び検出するステップと、第２のイオンのパケットを収集するステップと、第２のＭ／Ｚの部分的な範囲に応じた第２の飛行時間の遅延を用いて、第２のイオンのパケットを第２のＩＣＲセルへ移送するステップと、第２のＩＣＲセルを用いて第２のイオンのパケット内に含まれるイオンを分解及び検出するステップとを含む、フーリエ変換イオンサイクロトロン共鳴質量分析法の方法が提供される。
【００２８】
本発明の別の態様によれば、複数の分子を有する試料を質量分析計のイオン化源の中に導入するステップと、複数の分子をイオン化するステップであって、その結果、ある質量対電荷比（Ｍ／Ｚ）の範囲を有する複数のイオンとなり、Ｍ／Ｚの範囲が複数のＭ／Ｚの部分的な範囲を含む、イオン化するステップと、複数のイオンからの第１のＭ／Ｚの部分的な範囲を有する第１のイオンのパケットをＩＣＲ前の質量分離及びフィルタリング装置を通って通過させるステップと、第１のイオンのパケットを収集するステップと、第１のイオンのパケットを第１のＩＣＲセルまで移送するステップと、第１のイオンのパケットを移送するステップと同時に、前記ＩＣＲ前の質量分離及びフィルタリングを使用して複数のイオンからのＭ／Ｚの部分的な範囲に関してＭＳ／ＭＳの動作を行うステップと、第１のＩＣＲセルを用いて第１のイオンのパケット内に含まれるイオンを分解及び検出するステップと、ＭＳ／ＭＳの動作から生じる第２のイオンのパケットを収集するステップと、第２のイオンのパケットを第２のＩＣＲセルへ移送するステップと、第２のＩＣＲセルを用いて第２のイオンのパケット内に含まれるイオンを分解及び検出するステップとを含む、フーリエ変換イオンサイクロトロン共鳴質量分析法の方法が提供される。
【００２９】
添付図面を参照することにより、本発明及び例示した実施形態をより良く理解でき、本発明及び例示した実施形態の多数の目的、利点及び特徴は、当業者に明らかとなろう。図面において、同じ参照番号は、制限するものでなく、限定的なものである本発明の実施形態の様々な図の全てにわたって同じ部分に言及している。
【発明を実施するための最良の形態】
【００３０】
次に本発明を実施するために発明者によって考えられる最良の形態を含む本発明のいくつかの具体的な実施形態に対して言及を詳細に行うことにする。これらの具体的な実施形態の例を添付図面に例示する。本発明をこれらの具体的な実施形態と共に説明するが、説明する実施形態に本発明を限定することを意図するものではないことは理解されよう。一方、添付の特許請求の範囲によって画定される本発明の精神及び範囲内に含まれ得る代替形態、修正形態及び均等形態を対象として含むことは意図される。以下の説明では、本発明の完全な理解を与えるために多数の具体的な詳細を説明する。本発明は、これらの具体的な詳細の一部又は全部なしで実施されてよい。他の例では、既知の作業工程は、本発明を不必要に曖昧にしないために詳細に説明されていない。
【００３１】
本明細書及び添付の特許請求の範囲において、単数形「ａ」、「ａｎ」及び「ｔｈｅ」は、文脈が明らかに他に示す場合を除き、複数形の言及を含む。別段の定めが無い限り、本明細書で使用される全ての科学技術用語は、本発明が属する当技術分野の当業者に一般に理解されるものと同じ意味を有する。
【００３２】
図３を参照すると、本発明の一実施形態によるＦＴＭＳ機器３００が概略的に示されている。イオン化源３０２、好ましくは外部イオン化源は、例えば複雑な生体試料などの試料をイオン化するために使用されるが、それに限定されない。様々なイオン源を用いるイオン化の方法は、質量分析法の文献の中で説明されたものであり、よく知られている。イオン化源の例には、化学イオン化（ＣＩ，chemical ionization）源、プラズマ及びグロー放電源、電子衝撃（ＥＩ，electron impact）源、エレクトロスプレーイオン化（ＥＳＩ）源、高速原子衝撃（ＦＡＢ，fast-atom bombardment）源、レーザイオン化（ＬＩＭＳ，laser ionization）源、マトリックス支援レーザ脱離イオン化（ＭＡＬＤＩ， matrix-assisted laser desorption ionization）源、プラズマ脱離イオン化（ＰＤ，plasma-desorption ionization）源、大気圧光イオン化源、共鳴イオン化（ＲＩＭＳ，resonance ionization）源、二次イオン（ＳＩＭＳ，secondary ionization）源、スパーク源、及び熱イオン化（ＴＩＭＳ，thermal ionization）源などが含まれるが、それに限定されない。全てのイオン源及び構成が、本発明のＦＴＭＳ機器の中で使用できる。制限するものでない例として、四重極イオンガイド、六重極イオンガイド又は八重極イオンガイドのイオンガイド３０４は、イオンをイオン源３０２からＩＣＲ前の質量分離及びフィルタリング装置３０６へ移送するために使用される。加熱キャピラリ（図示せず）は、溶媒の脱溶媒和（solvent desolvation）を増大させるためにイオン源３０２とイオンガイド３０４の間に含まれてよい。ＩＣＲ前の質量分離及びフィルタリング装置３０６は、例えば線形四重極、３−Ｄ四重極イオントラップ、２Ｄ四重極などの四重極装置であってよいが、それらに限定されない。イオントラッピング装置３０８は、あるＭ／Ｚの範囲中のイオンを収集するために制御装置３２２によってプログラムされてよい。イオントラッピング装置３０８は、例えば線形四重極、３−Ｄ四重極イオントラップ、２Ｄ四重極などの四重極装置であってよいが、それらに限定されない。ＩＣＲ前の質量分離及びフィルタリング装置３０６及びイオントラッピング装置３０８は、同じタイプであってよい。イオンは、イオントラッピング装置３０８から第２のイオンガイド３１０を通って直列に配置される複数のＩＣＲセル３１２、３１４、３１６のうちの１つのＩＣＲセルに移送される。第２のイオンガイドは、四重極イオンガイド、六重極イオンガイド、八重極イオンガイド又は静電レンズシステムであってよい。ＩＣＲセルは、開放型円筒形タイプ、開放型立方体タイプ、ブルカー製インフィニティセル（Bruker Infinity cells）又はペニングトラップであってよい。ＩＣＲセルは、制御された磁場３１８の内側にあり、ＩＣＲセルそれぞれは、独立して分解動作及び検出動作できる。制御された磁場３１８は、ＦＴＭＳの磁石３２０、好ましくは超伝導磁石によって与えられる。イオン源３０２、イオンガイド３０４及び３１０、ＩＣＲ前の質量分離及びフィルタリング装置３０６、ＦＴＭＳの磁石３２０及びＩＣＲセル３１２、３１４、３１６は、制御装置３２２によって制御されてよい。ＩＣＲセルによって生成されるデータは、分析装置３２４によって処理される。
【００３３】
さらに図４を参照すると、動作中において、ステップ４０２で、複数の分子を含む複合試料は、ＦＴＩＣＲ分析計３００のイオン源３０２の中に導入され、イオン源は分子をイオン化し、それにより幅広い範囲のＭ／Ｚの帯電、例えば５０〜２０００を有するイオンを生成する。ステップ４０４で、イオンは、ＲＦだけのイオンガイド３０４を通ってＩＣＲ前の質量分離及びフィルタリング装置３０６、例えば四重極装置へ移送される。ステップ４０６で、分離及びフィルタリング装置３０６は、好ましくは制御装置によって、典型的なＭ／Ｚの部分的な範囲が５００〜２０００であってよい、幅広い範囲の試料の第１のＭ／Ｚの部分的な範囲内に入らないイオン全てを取り除くように設定される。ステップ４０８で、イオントラッピング装置３０８は、第１の期間、例えば１．０秒の間イオンを収集するように設定される。ステップ４１０で、イオントラッピング装置３０８からのイオンは、第１のＭ／Ｚの部分的な範囲、上述の例では５００〜２０００に応じた飛行時間の遅延を用いてＩＣＲセルのうちの１つのＩＣＲセル、例えばＩＣＲセルＣ  ３１６へ移送される。ステップ４１２で、分析装置３２４は、２０４８Ｋのデータ点の取得方法を用いて第１のＭ／Ｚの部分的な範囲、この例では５００〜２０００のイオンを分解及び検出するように設定される。５００〜２０００のＭ／Ｚの部分的な範囲の分析は、約３秒かかり得る。
【００３４】
ステップ４１６で、ＩＣＲ前の質量分離及びフィルタリング装置３０６の電子機器は、好ましくは制御装置３２２によって移送ステップ４１０と同時にステップ４１４として、第２のＭ／Ｚの部分的な範囲、例えば２００〜５００の内に入らないイオン全てを取り除くように設定される。ステップ４１８で、イオントラッピング装置３０８は、第２の期間の間にイオンを収集するように設定される。ステップ４２２で、イオントラッピング装置３０８からのイオンは次いで、第２のＭ／Ｚの部分的な範囲、例えば２００〜５００に応じた飛行時間の遅延を用いて第２のＩＣＲセル、例えばＩＣＲセルＢ  ３１４へ移送される。ＩＣＲセルＢ  ３１４は次いで、１０２４Ｋのデータ点の取得方法を用いて第２のＭ／Ｚの部分的な範囲、この例では２００〜５００のイオンを分解及び検出するように設定される。２００〜５００のＭ／Ｚの部分的な範囲の分析は、約２秒かかり得る。
【００３５】
本発明の一実施形態では、セット４２６で、さらに移送ステップ４２２と同時にステップ４２０として、ＩＣＲ前の質量分離及びフィルタリング装置３０６は、好ましくは制御装置３２２によって第３のＭ／Ｚの部分的な範囲、例えば５０〜２００の内に入らないイオン全てを取り除くように設定される。ステップ４２８で、イオントラッピング装置３０８は、第３の期間の間にイオンを収集するように設定される。ステップ４３０で、イオントラッピング装置３０８からのイオンは次いで、第３のＭ／Ｚの部分的な範囲、例えば５０〜２００に応じた飛行時間の遅延を用いて第３のＩＣＲセル、例えばＩＣＲセルＡ  ３１２へ移送される。ＩＣＲセルＡ  ３１２は次いで、５１２Ｋのデータ点の取得方法を用いて第３のＭ／Ｚの部分的な範囲、この例では５０〜２００のイオンを分解及び検出するように設定される。５０〜２００のＭ／Ｚの部分的な範囲及び分析は、約１秒かかり得る。
【００３６】
図５は、５００〜２０００、２００〜５００及び５０〜２００の３つの部分的なＭ／Ｚの範囲をそれぞれ同時に分解及び検出するために、図３に例示される制御された磁場中において３つの独立したＩＣＲセルを用いるデューティサイクルの典型的な概略説明図である。
【００３７】
開始後、５０２で、ＩＣＲ前の質量分離及びフィルタリング装置３０６は、Ｍ／Ｚの部分的な範囲５００〜２０００に設定され、Ｍ／Ｚの部分的な範囲５００〜２０００中のイオンは、１０００ｍｓの間にイオントラッピング装置３０８内で収集される。次いで５０４で、イオンパケットは、分解及び検出のためにＩＣＲセルＣ  ３１６へ送られ、２メガワードのファイルが取得される。次いで５０６で、ＩＣＲ前の質量分離及びフィルタリング装置３０６は、Ｍ／Ｚの部分的な範囲２００〜５００に設定され、Ｍ／Ｚの部分的な範囲２００〜５００内のイオンは、１０００ｍｓの間にイオントラッピング装置３０８内で収集される。次いで５０８で、収集されたイオンパケットは、ＩＣＲセルＢ  ３１４へ送られ、１メガワードのファイルが取得される。次いでＩＣＲ前の質量分離及びフィルタリング装置３０６は、Ｍ／Ｚの部分的な範囲５０〜２００に設定され、次いでＭ／Ｚの部分的な範囲５０〜２００内のイオンは、１０００ｍｓの間にイオントラッピング装置３０８内で収集される。次いで５１２で、収集されたイオンパケットは、ＩＣＲセルＡ  ３１２へ送られ、５１２Ｋのファイルが取得される。５１４で、ＩＣＲ前の質量分離及びフィルタリング装置３０６は、Ｍ／Ｚの部分的な範囲５００〜２０００に、その部分的な範囲中のイオンを収集するために再び設定される。
【００３８】
説明した本発明は、フーリエ変換イオンサイクロトロン質量分析法（ＦＴＭＳ）の高い分解能を使用して幅広いＭ／Ｚの範囲にわたって様々なＭ／Ｚを有する混合物内の全ての成分を分離する。磁石の磁場中に直列に配置された複数の独立したセルの使用は、異なるＭ／Ｚの範囲が異なるセルの中に連続的に送られることを可能にするものであり、それはイオン源から最も遠いセルから始まり、イオン源に最も近いセルで終わる。これにより、研究者がＩＣＲセル内の全部のＭ／Ｚの範囲をトラップしようと試みると生じる、飛行時間の影響を実質的になくす。ＦＴＭＳ内で異なるタスクを実行するために必要とされる、異なる量の時間を考慮すると、試験のデューティサイクルを、奥のセルの中で長い時間がかかるそれらのタスクを実行し、一方イオン源に最も近いセルの中で複数の短い持続期間の試験を行うことによって劇的に増大できる。各ＩＣＲセルは、独立して制御されるので、各ＩＣＲセルは全て、イオンの経路に接続されるが、互いからは分離されている。
【００３９】
本発明は、磁石の制御された磁場中に直列に配置される複数のＩＣＲセルの組合せと、これらのイオンをＩＣＲセルへ送る前に関心のある質量範囲全体を特定の質量範囲をそれぞれ有するパケットの中に分割する能力とを利用する。次いで最長の時間がかかるＦＴＭＳの試験は、最も遠いＩＣＲセル中で実行され、最小の時間がかかるＦＴＭＳの試験は、最も近いＩＣＲセル中で実行される。そのような機器は、複合混合物の分析に対してＦＴＭＳの有用性を増大させる。
【００４０】
一実施形態では、ＩＣＲセルは、最も遠いＩＣＲセルで始まり、最も近くで終わるこれらの質量パケットで満たされてよい。より低い質量は、より高い質量よりも分解能を必要としないということ、並びに分解能は、ＦＴＭＳに関する時間及びファイル取得サイズの関数であることを利用し、まず奥のセルを高い質量で満たすことによって高い質量の高分解能分析が開始でき、一方、分析に時間のかからないより低い質量でより近いセルは満たされる。任意の質量範囲は、ＩＣＲセルのうちの任意の１つのＩＣＲセルへ移送できるが、したがって、最も高い質量を有する質量パケットは、最も遠いセルへ送られると共に、最も低い質量を有する質量パケットは、最も近くへ送られることが好ましい。この方式では、全ての試験は、最後は略同時に完了させることができ、それによりデューティサイクルの効率を増大させる。これにより、従来技術のＦＴＭＳ機器構成で達成できない試料に関する高スループット能力を実現する。
【００４１】
質量範囲全体にわたって高い質量分解能及び精度を有する、幅広い質量範囲を有するイオン化分子の複合混合物を分析するための今までにないＦＴＭＳ−ＭＳの方法及び装置を説明する。本発明の一実施形態によれば、今までにないＦＴＩＣＲ−ＭＳの方法及び装置は、直列に配置される複数のＩＣＲセルを利用し、これらのＩＣＲセルそれぞれは、異なる質量範囲を収集し、これにより所与の分析中に同時に収集及び検出できるイオンの全体の個数を増大させることになる。関心のある質量範囲全体をセグメントに分割することによって、各セグメントのダイナミックレンジは、全質量範囲が一括して測定された場合のダイナミックレンジより大きくなる。各質量セグメントは、パケット内の全てのＭ／ＺがＩＣＲセル中に効率的にトラップできるように十分に小さい。したがって、飛行時間の影響は、かなり低減される。
【００４２】
さらに、各セルは、独立して動作できるので、高分解能イオン分離及び多段階質量分析法（ＭＳｎ，multiple mass spectrometry）の動作などのＦＴＭＳの動作において一般に実行されるセル動作の内の全てが可能である。例えば、時間のかかるＭＳｎ動作は、１つのＩＣＲセル中で、例えばＩＣＲセルＣ  ３１６の中で実行される行われることができ、一方、比較的により速いフルスキャン動作は、異なるＩＣＲセル中で、例えばＩＣＲセルＡ  ３１２の中で実行されることができる。
【００４３】
本発明の別の実施形態では、様々なＭＳ試験がＩＣＲセルの外側で実行されることができ、様々な試験から生じるイオンは、異なるＩＣＲセルへ送られる。例えば、質量パケット１は、例えばＩＣＲ前の質量分離及びフィルタリング装置３０６の中で実行されるフルスキャン分析から生じる質量を含み得るのに対して、質量パケット２は、質量パケット１の中に含まれるイオンの全部又は分割部分のＭＳｎ分析から、又はさらに質量パケット１の部分でないイオンから生じる質量を含み得る。代替として、ＭＳｎ分析は、様々な質量範囲に関して外部で実行されることができ、その結果は、分析のために異なるＩＣＲセルに送られる。これは、外部のＭＳｎ分析がＦＴＭＳ分析よりも少ない時間で実行されることができるような特に時間節約の試験である。
【００４４】
本発明の詳細な実施形態を示すと共に説明してきたが、変更及び修正が、本発明の本来の範囲から逸脱することなくそのような実施形態に対してなされてよい。
【００４５】
排他的な権利又は特権が主張されている本発明の実施形態は、以下のように画定される。
（１）質量対電荷比（以下、Ｍ／Ｚという）の範囲を有するイオン化分子を受け取ることができるＩＣＲ前の質量分離及びフィルタリング装置であって、前記Ｍ／Ｚの範囲が複数のＭ／Ｚの部分的な範囲を含み、ＩＣＲ前の質量分離及びフィルタリング装置が、前記Ｍ／Ｚの範囲を有する前記イオン化分子を複数のより小さなパケットに分割し、前記複数のより小さなパケットそれぞれが前記複数のＭ／Ｚの部分的な範囲の要素を有する、ＩＣＲ前の質量分離及びフィルタリング装置と、
制御された磁場を与える磁石と、
前記磁石の制御された磁場中で直列に配置される、独立して動作することができる複数のイオンサイクロトロン共鳴（以下、ＩＣＲという）セルと、
前記複数のより小さな質量パケットのうちの１つのパケットを前記複数のＩＣＲセルのうちの１つのＩＣＲセルへ送る前に、前記複数のより小さなパケットのうちの前記１つのパケットを格納するための、前記ＩＣＲ前の質量分離及びフィルタリング装置に動作可能なように接続するイオントラッピング装置と
を備える、フーリエ変換イオンサイクロトロン共鳴質量分析法システム。
（２）  イオン化源をさらに備える、上記（１）に記載のシステム。
（３）  イオン化源からイオン化分子を受け取り、前記イオン化分子をＩＣＲ前の質量分離及びフィルタリング装置へ引き渡すイオンガイドをさらに備える、上記（２）に記載のシステム。
（４）  複数のより小さなパケットのうちの１つのパケットをイオントラッピング装置から複数のＩＣＲセルのうちの１つのＩＣＲセルまで移送する第２のイオンガイドをさらに備える、上記（３）に記載のシステム。
（５）  外部イオン化源をさらに含んでおり、前記外部イオン化源が、化学イオン化（ＣＩ）源、プラズマ及びグロー放電源、電子衝撃（ＥＩ）源、エレクトロスプレーイオン化（ＥＳＩ）源、高速原子衝撃（ＦＡＢ）源、レーザイオン化（ＬＩＭＳ）源、マトリックス支援レーザ脱離イオン化（ＭＡＬＤＩ）源、プラズマ脱離イオン化（ＰＤ）源、大気圧光イオン化源、共鳴イオン化（ＲＩＭＳ）源、二次イオン（ＳＩＭＳ）源、スパーク源、及び熱イオン化（ＴＩＭＳ）源からなる群から選択される、上記（１）に記載のシステム。
（６）  磁石が超伝導磁石である、上記（１）に記載のシステム。
（７）  ＩＣＲセルが、開放型円筒形タイプ、開放型立方体タイプ、ブルカー製インフィニティセル、ペニングトラップ、及びそれらの組合せからなる群から選択される、上記（１）に記載のシステム。
（８）  ＩＣＲ前の質量分離及びフィルタリング装置が、線形四重極、３−Ｄ四重極イオントラップ、２Ｄ四重極イオントラップからなる群から選択される、上記（１）に記載のシステム。
（９）  イオントラッピング装置が、線形四重極、３−Ｄ四重極イオントラップ、２Ｄ四重極イオントラップからなる群から選択される、上記（１）に記載のシステム。
（１０）  ＩＣＲ前の質量分離及びフィルタリング装置が、飛行時間の原理に基づいている、上記（１）に記載のシステム。
（１１）  第１のイオンガイドが、四重極イオンガイド、六重極イオンガイド、八重極イオンガイドからなる群から選択される、上記（１）に記載のシステム。
（１２）  加熱キャピラリをイオン源と第１のイオンガイドとの間にさらに備える、上記（１）に記載のシステム。
（１３）  第２のイオンガイドが、四重極イオンガイド、六重極イオンガイド、八重極イオンガイド及び静電レンズシステムからなる群から選択される、上記（１）に記載のシステム。
（１４）
ａ）複数の分子を有する試料を質量分析計のイオン化源の中に導入するステップと、
ｂ）前記複数の分子をイオン化するステップであって、その結果、ある質量対電荷比（以下、Ｍ／Ｚという）の範囲を有する複数のイオンとなり、前記Ｍ／Ｚの範囲が複数のＭ／Ｚの部分的な範囲を含む、イオン化するステップと、
ｃ）前記複数のイオンからの第１のＭ／Ｚの部分的な範囲を有する第１のイオンのパケットをＩＣＲ前の質量分離及びフィルタリング装置を通って通過させるステップと、
ｄ）前記第１のイオンのパケットを収集するステップと、
ｅ）前記第１のＭ／Ｚの部分的な範囲に応じた第１の飛行時間の遅延を用いて前記第１のイオンのパケットを第１のＩＣＲセルへ移送するステップと、
ｆ）ステップ（ｅ）の前記第１のイオンのパケットを前記移送するステップと同時に、前記複数のイオンから第２のＭ／Ｚの部分的な範囲を有する第２のイオンのパケットを前記ＩＣＲ前の質量分離及びフィルタリング装置を通って通過させるステップと、
ｇ）前記第１のＩＣＲセルを用いて前記第１のイオンのパケット内に含まれるイオンを分解及び検出するステップと、
ｈ）前記第２のイオンのパケットを収集するステップと、
ｉ）前記第２のＭ／Ｚの部分的な範囲に応じた第２の飛行時間の遅延を用いて、前記第２のイオンのパケットを第２のＩＣＲセルへ移送するステップと、
ｊ）前記第２のＩＣＲセルを用いて第２のイオンのパケット内に含まれるイオンを分解及び検出するステップと
を含む、フーリエ変換イオンサイクロトロン共鳴質量分析法の方法。
（１５）
ｋ）ステップ（ｉ）の第２のイオンのパケットを移送するステップと同時に、複数のイオンから第３のＭ／Ｚの部分的な範囲を有する第３のイオンのパケットをＩＣＲ前の質量分離及びフィルタリング装置を通って通過させるステップと、
ｌ）前記第３のイオンのパケットを収集するステップと、
ｍ）前記第３のＭ／Ｚの部分的な範囲に応じた第３の飛行時間の遅延を用いて前記第３のイオンのパケットを第３のＩＣＲセルへ移送するステップと、
ｎ）前記第３のＩＣＲセルを用いて前記第３のイオンのパケット内に含まれるイオンを分解及び検出するステップと
をさらに含む、上記（１４）に記載の方法。
（１６）
ＩＣＲセルが、直列に接続されると共に制御された磁場中にある、上記（１４）に記載の方法。
（１７）
第１のＩＣＲセルは、第２のＩＣＲセルよりもイオン化源から遠くに配置されており、第１のＭ／Ｚの部分的な範囲は、第２のＭ／Ｚの部分的な範囲より大きい、上記（１４）に記載の方法。
（１８）
イオン化源が、化学イオン化（ＣＩ）源、プラズマ及びグロー放電源、電子衝撃（ＥＩ）源、エレクトロスプレーイオン化（ＥＳＩ）源、高速原子衝撃（ＦＡＢ）源、レーザイオン化（ＬＩＭＳ）源、マトリックス支援レーザ脱離イオン化（ＭＡＬＤＩ）源、プラズマ脱離イオン化（ＰＤ）源、大気圧光イオン化源、共鳴イオン化（ＲＩＭＳ）源、二次イオン（ＳＩＭＳ）源、スパーク源、及び熱イオン化（ＴＩＭＳ）源からなる群から選択される、上記（１４）に記載の方法。
（１９）
ＩＣＲセルが、開放型円筒形タイプ、開放型立方体タイプ、ブルカー製インフィニティセル、ペニングトラップ及びそれらの組合せからなる群から選択される、上記（１４）に記載の方法。
（２０）
ａ）複数の分子を有する試料を質量分析計のイオン化源の中に導入するステップと、
ｂ）前記複数の分子をイオン化するステップであって、その結果、ある質量対電荷比（以下、Ｍ／Ｚという）の範囲を有する複数のイオンとなり、前記Ｍ／Ｚの範囲が複数のＭ／Ｚの部分的な範囲を含む、イオン化するステップと、
ｃ）前記複数のイオンからの第１のＭ／Ｚの部分的な範囲を有する第１のイオンのパケットをＩＣＲ前の質量分離及びフィルタリング装置を通って通過させるステップと、
ｄ）第１のイオンのパケットを収集するステップと、
ｅ）前記第１のイオンのパケットを第１のＩＣＲセルまで移送するステップと、
ｆ）ステップ（ｅ）の前記第１のイオンのパケットを前記移送するステップと同時に、前記ＩＣＲ前の質量分離及びフィルタリングを使用して前記複数のイオンからのＭ／Ｚの部分的な範囲に関してＭＳ／ＭＳの動作を実行するステップと、
ｇ）前記第１のＩＣＲセルを用いて前記第１のイオンのパケット内に含まれるイオンを分解及び検出するステップと、
ｈ）ステップ（ｆ）の前記ＭＳ／ＭＳの動作から生じる第２のイオンのパケットを収集するステップと、
ｉ）前記第２のイオンのパケットを第２のＩＣＲセルへ移送するステップと、
ｊ）前記第２のＩＣＲセルを用いて前記第２のイオンのパケット内に含まれるイオンを分解及び検出するステップと
を含む、フーリエ変換イオンサイクロトロン共鳴質量分析法の方法。
【図面の簡単な説明】
【００４６】
【図１】（ａ）イオントラップの概略説明図である。（ｂ）入口及び終端ゲート電圧を用いたイオントラップの制御を例示する図である。
【図２】（ａ）（ｂ）（ｃ）イオントラップとＩＣＲセルの間の飛行時間の影響を例示する図である。
【図３】本発明の一実施形態によるＦＴＩＣＲ−ＭＳ装置の概略図である。
【図４】本発明の一実施形態によるＦＴＩＣＲ−ＭＳの方法のステップを表す図である。
【図５】本発明の一実施形態によるＦＴＩＣＲ−ＭＳの方法のステップの時間表を例示する図である。
【図１】
2009508307.tif 000003
【図２】
2009508307.tif 000004
【図３】
2009508307.tif 000005
【図４】
2009508307.tif 000006
【図５】
2009508307.tif 000007
【国際調査報告】
2009508307.tif 000008
2009508307.tif 000009